(57)【要約】  本願の実施例はスクリーン制御方法及び装置を提供し、該方法は、本体と、第１のスクリーンと、第２のスクリーンと、レンズとを含み、前記第１のスクリーン、前記第２のスクリーンおよび前記レンズは前記本体に設置され、前記第１のスクリーンと前記第２のスクリーンは互いに背向して設置され、前記レンズは前記第２のスクリーンの側に設置され、前記第１のスクリーンは、前記端末装置が起動された後に前記レンズで撮影された画像を表示するスクリーンであり、該方法は、第２のスクリーンに前記レンズで撮影された画像を表示するように指示するための第１の命令を取得することと、第１の命令に応じて、第２のスクリーンにレンズで撮影された画像を表示するように制御することとを含む。本願の方法及び装置によって、ユーザは、自撮りのときに、レンズで撮影された画像を知ることができ、それによりユーザが所望の画像を撮影することができ、ユーザ体験を向上させる。
2020527245.tif 000002
【特許請求の範囲】
【請求項１】
端末装置に適用されるスクリーン制御方法であって、前記端末装置は、本体と、第１のスクリーンと、第２のスクリーンと、レンズとを含み、前記第１のスクリーン、前記第２のスクリーンおよび前記レンズは前記本体に設置され、前記第１のスクリーンと第２のスクリーンとは互いに背向して設置され、前記レンズは前記第２のスクリーンの側に設置され、前記第１のスクリーンは、前記端末装置が起動された後に、前記レンズで撮影された画像を表示するスクリーンであり、
前記方法は、
前記第２のスクリーンに前記レンズで撮影された画像を表示するように指示するための第１の命令を取得することと、
前記第１の命令に応じて、前記第２のスクリーンに前記レンズで撮影された画像を表示するように制御することとを含むことを特徴とするスクリーン制御方法。
【請求項２】
前記第１の命令に応じて、前記第２のスクリーンに前記レンズで撮影された画像を表示するように制御することは、
前記第１の命令に応じて、前記第１のスクリーンに表示された、前記レンズで撮影された画像を前記第２のスクリーンに表示するように切り替えることを含むことを特徴とする請求項１に記載の方法。
【請求項３】
第１のスクリーンに表示された、前記レンズで撮影された画像を前記第２のスクリーンに表示するように切り替えた後、
前記第１のスクリーンがスクリーンオフ状態になるように制御することをさらに含むことを特徴とする請求項２に記載の方法。
【請求項４】
前記第１の命令を取得することは、
ユーザの前記第２のスクリーン又は前記第１のスクリーンにおけるタッチ軌跡を取得することと、
前記タッチ軌跡が前記端末装置に記憶されたプリセット軌跡と同じであれば、第１の命令をトリガすることとを含むことを特徴とする請求項１から請求項３のいずれか一項に記載の方法。
【請求項５】
前記第１の命令を取得することは、
端末装置の回転角度を取得することと、
端末装置の、第１のプリセット時間内における回転角度が第１のプリセット範囲内にあれば、第１の命令をトリガすることとを含むことを特徴とする請求項１から請求項３のいずれか一項に記載の方法。
【請求項６】
前記端末装置の回転角度を取得することは、
前記端末装置の角度センサにより検出された端末装置の回転角度を取得することを含み、
前記角度センサは、電子コンパス、ジャイロスコープのうちの少なくとも１つを含むことを特徴とする請求項５に記載の方法。
【請求項７】
前記第１のプリセット時間は、０．２〜２ｓの間の任意の時間であることを特徴とする請求項５又は請求項６に記載の方法。
【請求項８】
前記第１のプリセット時間は、０．５〜１ｓの間の任意の時間であることを特徴とする請求項７に記載の方法。
【請求項９】
前記第１のプリセット範囲は、１６０°〜２００°又は−２００°〜−１６０°であることを特徴とする請求項５から請求項８のいずれか一項に記載の方法。
【請求項１０】
前記第１のプリセット範囲は、１７０°〜１８０°又は−１９０°〜−１７０°であることを特徴とする請求項９に記載の方法。
【請求項１１】
前記第１の命令を取得することは、
端末装置のＸ軸方向での加速度、Ｙ軸方向での加速度及びＺ軸方向での加速度を取得することと、
端末装置の第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガすることとを含むことを特徴とする請求項１から請求項３のいずれか一項に記載の方法。
【請求項１２】
前記第２のプリセット時間は、０．５〜２ｓの間の任意の時間であることを特徴とする請求項１１に記載の方法。
【請求項１３】
前記第２のプリセット範囲、前記第３のプリセット範囲及び前記第４のプリセット範囲は、いずれも、前記端末装置の運動状態が往復運動である場合に対応する範囲であることを特徴とする請求項１１に記載の方法。
【請求項１４】
前記第２のプリセット範囲、前記第３のプリセット範囲及び前記第４のプリセット範囲は、いずれも、前記端末装置の運動状態が第１の方向への運動である場合に対応する範囲であることを特徴とする請求項１１に記載の方法。
【請求項１５】
前記第１の命令を取得することは、
ユーザによる前記第２のスクリーン又は前記第１のスクリーンのプリセット位置に対するプリセット回数のクリック操作を検出すると、第１の命令をトリガすることを含むことを特徴とする請求項１から請求項３のいずれか一項に記載の方法。
【請求項１６】
前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域であることを特徴とする請求項１５に記載の方法。
【請求項１７】
前記プリセット回数は、１回又は２回又は３回であることを特徴とする請求項１５又は請求項１６に記載の方法。
【請求項１８】
前記第１の命令を取得することは、
ユーザによる前記端末装置のプリセット物理的ボタンに対する操作を検出すると、第１の命令をトリガすることを含むことを特徴とする請求項１から請求項３のいずれか一項に記載の方法。
【請求項１９】
前記ユーザによる前記端末装置のプリセット物理的ボタンに対する操作は、
ユーザがプリセット物理的ボタンをクリックすること、
ユーザがプリセット物理的ボタンを第１の位置から第２の位置までスライドさせること、
ユーザがプリセット物理的ボタンを第３のプリセット時間押すことのうちのいずれか一つを含むことを特徴とする請求項１８に記載の方法。
【請求項２０】
前記第３のプリセット時間は、１ｓ〜２ｓの間の任意の時間であることを特徴とする請求項１９に記載の方法。
【請求項２１】
前記第１の命令を取得することは、
ユーザの音声信号を取得することと、
前記音声信号を認識し、前記音声信号に対応するテキスト情報を得ることと、
前記テキスト情報が前記端末装置に予め記憶されたテキスト情報と同じであれば、第１の命令をトリガすることとを含むことを特徴とする請求項１から請求項３のいずれか一項に記載の方法。
【請求項２２】
前記第１の命令を取得することは、
前記第１のスクリーンに表示された画像を取得することと、
前記画像に含まれる顔画像が前記端末装置内に記憶された顔画像であるターゲット顔画像であり、かつ前記ターゲット顔画像の前記画像に占める比率がプリセット比率よりも大きい場合、第１の命令をトリガすることとを含むことを特徴とする請求項１から請求項３のいずれか一項に記載の方法。
【請求項２３】
前記プリセット比率は、９０％〜１００％の間の任意の比率であることを特徴とする請求項２２に記載の方法。
【請求項２４】
スクリーン制御装置であって、本体と、第１のスクリーンと、第２のスクリーンと、レンズと、前記本体内に設置されたコントローラとを含み、前記第１のスクリーン、前記第２のスクリーンおよびレ前記ンズは前記本体に設置され、
第１のスクリーンと前記第２のスクリーンとは互いに背向して設置され、前記レンズは前記第２のスクリーンの側に設置され、
前記コントローラは前記第１のスクリーン、前記第２のスクリーン及び前記レンズと通信可能に接続され、
前記第１のスクリーンは、前記スクリーン制御装置が起動された後に、前記レンズで撮影された画像を表示するスクリーンであり、
前記コントローラは、前記第２のスクリーンに前記レンズで撮影された画像を表示するように指示するための第１の命令を取得し、前記第１の命令に応じて、前記第２のスクリーンに前記レンズで撮影された画像を表示するように制御するために用いられることを特徴とするスクリーン制御装置。
【請求項２５】
前記コントローラは、具体的には、前記第１の命令に応じて、前記第１のスクリーンに表示された、前記レンズで撮影された画像を前記第２のスクリーンに表示するように切り替えるために用いられることを特徴とする請求項２４に記載のスクリーン制御装置。
【請求項２６】
前記コントローラは、さらに、具体的には、前記第１のスクリーンがスクリーンオフ状態になるように制御するために用いられることを特徴とする請求項２５に記載のスクリーン制御装置。
【請求項２７】
前記コントローラは、具体的には、ユーザの第２のスクリーン又は前記第１のスクリーンにおけるタッチ軌跡を取得し、前記タッチ軌跡が前記スクリーン制御装置に記憶されたプリセット軌跡と同じであれば、第１の命令をトリガするために用いられることを特徴とする請求項２４から請求項２６のいずれか一項に記載のスクリーン制御装置。
【請求項２８】
前記コントローラは、具体的には、スクリーン制御装置の回転角度を取得し、スクリーン制御装置の第１のプリセット時間内における回転角度が第１のプリセット範囲内にあれば、第１の命令をトリガするために用いられることを特徴とする請求項２４から請求項２６のいずれか一項に記載のスクリーン制御装置。
【請求項２９】
前記コントローラと通信可能に接続された角度センサをさらに含み、
前記角度センサは、前記スクリーン制御装置の回転角度又は回転角速度を検出するために用いられ、
前記コントローラは、具体的には、前記角度センサにより検出された回転角度又は回転角速度に基づいて、スクリーン制御装置の回転角度を取得し、前記スクリーン制御装置の第１のプリセット時間範囲内における回転角度が第１のプリセット範囲内にあれば、第１の命令をトリガするために用いられることを特徴とする請求項２４から請求項２６のいずれか一項に記載のスクリーン制御装置。
【請求項３０】
前記第１のプリセット時間は、０．２〜２ｓの間の任意の時間であることを特徴とする請求項２８又は２９に記載のスクリーン制御装置。
【請求項３１】
前記第１のプリセット時間は、０．５〜１ｓの間の任意の時間であることを特徴とする請求項３０に記載のスクリーン制御装置。
【請求項３２】
前記第１のプリセット範囲は、１６０°〜２００°又は−２００°〜−１６０°であることを特徴とする請求項２８から請求項３１のいずれか一項に記載のスクリーン制御装置。
【請求項３３】
前記第１のプリセット範囲は、１７０°〜１８０°又は−１９０°〜−１７０°であることを特徴とする請求項３２に記載のスクリーン制御装置。
【請求項３４】
前記コントローラと通信可能に接続された加速度計をさらに含み、
前記加速度計は、スクリーン制御装置のＸ軸方向での加速度、Ｙ軸方向での加速度及びＺ軸方向での加速度を検出するために用いられ、
前記コントローラは、具体的には、前記加速度計で検出したスクリーン制御装置のＸ軸方向での加速度、Ｙ軸方向での加速度及びＺ軸方向での加速度を取得し、スクリーン制御装置の第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガするために用いられることを特徴とする請求項２４から請求項２６のいずれか一項に記載のスクリーン制御装置。
【請求項３５】
前記第２のプリセット時間は、０．５〜２ｓの間の任意の時間であることを特徴とする請求項３４に記載のスクリーン制御装置。
【請求項３６】
前記第２のプリセット範囲、前記第３のプリセット範囲及び前記第４のプリセット範囲は、いずれも、前記スクリーン制御装置の運動状態が往復運動である場合に対応する範囲であることを特徴とする請求項３４に記載のスクリーン制御装置。
【請求項３７】
前記第２のプリセット範囲、前記第３のプリセット範囲及び前記第４のプリセット範囲は、いずれも、前記スクリーン制御装置の運動状態が第１の方向への運動である場合に対応する範囲であることを特徴とする請求項３４に記載のスクリーン制御装置。
【請求項３８】
前記コントローラは、具体的には、ユーザの前記第２のスクリーン又は前記第１のスクリーンのプリセット位置に対するプリセット回数のクリック操作を検出すると、第１の命令をトリガするために用いられることを特徴とする請求項２４から請求項２６のいずれか一項に記載のスクリーン制御装置。
【請求項３９】
前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域であることを特徴とする請求項３８に記載のスクリーン制御装置。
【請求項４０】
前記プリセット回数は、１回又は２回又は３回であることを特徴とする請求項３８又は３９に記載のスクリーン制御装置。
【請求項４１】
前記スクリーン制御装置の側壁に設置されたプリセット物理的ボタンをさらに含み、
前記プリセット物理的ボタンは、前記コントローラと通信可能に接続され、
前記コントローラは、具体的には、ユーザによる前記プリセット物理的ボタンに対する操作を検出すると、第１の命令をトリガするために用いられることを特徴とする請求項２４から請求項２６のいずれか一項に記載のスクリーン制御装置。
【請求項４２】
ユーザによる前記スクリーン制御装置のプリセット物理的ボタンに対する前記操作は、
ユーザが前記プリセット物理的ボタンをクリックすること、
ユーザが前記プリセット物理的ボタンを第１の位置から第２の位置までスライドさせること、
ユーザが前記プリセット物理的ボタンを第３のプリセット時間押すことのうちのいずれか一つを含むことを特徴とする請求項４１に記載のスクリーン制御装置。
【請求項４３】
前記第３のプリセット時間は、１ｓ〜２ｓの間の任意の時間であることを特徴とする請求項４２に記載のスクリーン制御装置。
【請求項４４】
前記コントローラと通信可能に接続された音声受信機をさらに含み、
前記音声受信機は、ユーザの音声信号を受信するために用いられ、
前記コントローラは、具体的には、前記音声受信機からユーザの音声信号を取得し、前記音声信号を認識し、前記音声信号に対応するテキスト情報を得て、前記テキスト情報が前記スクリーン制御装置に予め記憶されたテキスト情報と同じであれば、第１の命令をトリガするために用いられることを特徴とする請求項２４から請求項２６のいずれか一項に記載のスクリーン制御装置。
【請求項４５】
前記コントローラと通信可能に接続された画像収集装置をさらに含み、
前記画像収集装置は、前記第１のスクリーンに表示された画像を収集するために用いられ、
前記コントローラは、具体的には、前記画像を取得し、前記画像に含まれる顔画像が前記スクリーン制御装置内に記憶された顔画像であるターゲット顔画像であり、かつ前記ターゲット顔画像の前記画像に占める比率がプリセット比率よりも大きい場合、第１の命令をトリガするために用いられる、ことを特徴とする請求項２４から請求項２６のいずれか一項に記載のスクリーン制御装置。
【請求項４６】
前記プリセット比率は、９０％〜１００％の間の任意の比率であることを特徴とする請求項４５に記載のスクリーン制御装置。
【発明の詳細な説明】
【技術分野】
【０００１】
本発明は、インテリジェント端末の技術に関し、特にスクリーン制御方法及び装置に関する。
【背景技術】
【０００２】
現在、ユーザが自撮りのときに自撮りの撮影パラメータを容易に知るために、カメラには、二つのスクリーンが設置され、
自撮りするとき、第１のスクリーンは、レンズで撮影された画像を表示し、第２のスクリーンは、撮影パラメータを表示する。
【０００３】
しかしながら、カメラはレンズを１つしか有せず、かつレンズ撮影方向の制限により、カメラが撮影した画像は、第１のスクリーンに表示されるが、自撮りのときに、第１のスクリーンがユーザに背を向けているため、ユーザは、レンズがどのような画像を撮影しているかを知ることができず、所望の場面を撮影しにくい。
【発明の概要】
【０００４】
本願の実施例は、ユーザが自撮りのときに、レンズで撮影された画像を知ることができ、それによって所望の場面を撮影することができるスクリーン制御方法及び装置を提供する。
【０００５】
第１の態様において、本願の実施例は、端末装置に適用されるスクリーン制御方法を提供し、前記端末装置は、本体と、第１のスクリーンと、第２のスクリーンと、レンズとを含み、前記第１のスクリーン、前記第２のスクリーンおよび前記レンズは前記本体に設置され、前記第１のスクリーンと前記第２のスクリーンは互いに背向して設置され、前記レンズは前記第２のスクリーンの側に設置され、前記第１のスクリーンは、前記端末装置が起動された後に前記レンズで撮影された画像を表示するスクリーンであり、
前記方法は、
前記第２のスクリーンに前記レンズで撮影された画像を表示するように指示するための第１の命令を取得することと、
前記第１の命令に応じて、前記第２のスクリーンに前記レンズで撮影された画像を表示するように制御することとを含む。
【０００６】
１つの可能な設計において、前記第１の命令に応じて、前記第２のスクリーンに前記レンズで撮影された画像を表示するように制御することは、
前記第１の命令に応じて、前記第１のスクリーンに表示された、前記レンズで撮影された画像を前記第２のスクリーンに表示するように切り替えることを含む。
【０００７】
１つの可能な設計において、前記第１のスクリーンに表示された、前記レンズで撮影された画像を前記第２のスクリーンに表示するように切り替えた後、
前記第１のスクリーンがスクリーンオフ状態になるように制御することをさらに含む。
【０００８】
１つの可能な設計において、前記第１の命令を取得することは、
ユーザの前記第２のスクリーン又は前記第１のスクリーンにおけるタッチ軌跡を取得することと、
前記タッチ軌跡が前記端末装置に記憶されたプリセット軌跡と同じであれば、第１の命令をトリガすることとを含む。
【０００９】
１つの可能な設計において、前記第１の命令を取得することは、
端末装置の回転角度を取得することと、
端末装置の第１のプリセット時間内における回転角度が第１のプリセット範囲内にあれば、第１の命令をトリガすることとを含む。
【００１０】
１つの可能な設計において、前記の、端末装置の回転角度を取得することは、
前記端末装置の角度センサにより検出された端末装置の回転角度を取得することを含み、
前記角度センサは、電子コンパス、ジャイロスコープのうちの少なくとも１つを含む。
【００１１】
１つの可能な設計において、前記第１のプリセット時間は、０．２〜２ｓの間の任意の時間である。
【００１２】
１つの可能な設計において、前記第１のプリセット時間は、０．５〜１ｓの間の任意の時間である。
【００１３】
１つの可能な設計において、前記第１のプリセット範囲は、１６０°〜２００°又は−２００°〜−１６０°である。
【００１４】
１つの可能な設計において、前記第１のプリセット範囲は、１７０°〜１８０°又は−１９０°〜−１７０°である。
【００１５】
１つの可能な設計において、前記第１の命令を取得することは、
端末装置のＸ軸方向での加速度、Ｙ軸方向での加速度及びＺ軸方向での加速度を取得すること、
端末装置の第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガすることとを含む。
【００１６】
１つの可能な設計において、前記第２のプリセット時間は、０．５〜２ｓの間の任意の時間である。
【００１７】
１つの可能な設計において、前記第２のプリセット範囲、前記第３のプリセット範囲及び前記第４のプリセット範囲は、いずれも、前記端末装置の運動状態が往復運動である場合に対応する範囲である。
【００１８】
１つの可能な設計において、前記第２のプリセット範囲、前記第３のプリセット範囲及び前記第４のプリセット範囲は、いずれも、前記端末装置の運動状態が第１の方向へ運動する場合に対応する範囲である。
【００１９】
１つの可能な設計において、前記第１の命令を取得することは、
ユーザによる前記第２のスクリーン又は前記第１のスクリーンのプリセット位置に対するプリセット回数のクリック操作を検出すると、第１の命令をトリガすることを含む。
【００２０】
１つの可能な設計において、前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域である。
【００２１】
１つの可能な設計において、前記プリセット回数は、１回又は２回又は３回である。
【００２２】
１つの可能な設計において、前記第１の命令を取得することは、
ユーザによる前記端末装置のプリセット物理的ボタンに対する操作を検出すると、第１の命令をトリガすることを含む。
【００２３】
１つの可能な設計において、ユーザによる前記端末装置のプリセット物理的ボタンに対する前記操作は、
ユーザがプリセット物理的ボタンをクリックすること、
ユーザがプリセット物理的ボタンを第１の位置から第２の位置までスライドさせること、
ユーザがプリセット物理的ボタンを第３のプリセット時間押すことのうちのいずれか一つを含む。
【００２４】
１つの可能な設計において、前記第３のプリセット時間は、１ｓ〜２ｓの間の任意の時間である。
【００２５】
１つの可能な設計において、前記第１の命令を取得することは、
ユーザの音声信号を取得することと、
前記音声信号を認識し、前記音声信号に対応するテキスト情報を得ることと、
前記テキスト情報が前記端末装置に予め記憶されたテキスト情報と同じであれば、第１の命令をトリガすることとを含む。
【００２６】
１つの可能な設計において、前記第１の命令を取得することは、
前記第１のスクリーンに表示された画像を取得することと、
前記画像に含まれる顔画像がターゲット顔画像であり、かつ前記ターゲット顔画像の前記画像に占める比率がプリセット比率よりも大きい場合、第１の命令をトリガすることとを含み、
前記ターゲット顔画像は、前記端末装置内に記憶された顔画像である。
【００２７】
１つの可能な設計において、前記プリセット比率は、９０％〜１００％の間の任意の比率である。
【００２８】
第２の態様において、本願の実施例は、
本体と、第１のスクリーンと、第２のスクリーンと、レンズと、前記本体内に設置されたコントローラとを含み、
前記第１のスクリーン、前記第２のスクリーンおよび前記レンズは前記本体に設置され、
前記第１のスクリーンと前記第２のスクリーンは互いに背向して設置され、
前記レンズは前記第２のスクリーンの側に設置され、
前記コントローラは前記第１のスクリーン、前記第２のスクリーンおよび前記レンズと通信可能に接続され、
前記第１のスクリーンは、前記端末装置が起動された後に前記レンズで撮影された画像を表示するスクリーンであり、
前記コントローラは、前記第２のスクリーンに前記レンズで撮影された画像を表示するように指示するための第１の命令を取得し、前記第１の命令に応じて、前記第２のスクリーンに前記レンズで撮影された画像を表示するように制御するために用いられる、カメラを提供する。
【００２９】
１つの可能な設計において、前記コントローラは、具体的には、
前記第１の命令に応じて、前記第１のスクリーンに表示された、前記レンズで撮影された画像を前記第２のスクリーンに表示するように切り替えるために用いられる。
【００３０】
１つの可能な設計において、前記コントローラは、さらに、具体的には、
前記第１のスクリーンがスクリーンオフ状態になるように制御するために用いられる。
【００３１】
１つの可能な設計において、
前記コントローラは、具体的には、ユーザの前記第２のスクリーン又は前記第１のスクリーンにおけるタッチ軌跡を取得し、前記タッチ軌跡が前記カメラに記憶されたプリセット軌跡と同じであれば、第１の命令をトリガするために用いられる。
【００３２】
１つの可能な設計において、前記コントローラは、具体的には、
カメラの回転角度を取得し、カメラの第１のプリセット時間内における回転角度が第１のプリセット範囲内にあれば、第１の命令をトリガするために用いられる。
【００３３】
１つの可能な設計において、前記カメラは、前記コントローラと通信可能に接続される角度センサをさらに含み、
前記角度センサは、カメラの回転角度又は回転角速度を検出するために用いられ、
前記コントローラは、具体的には、前記角度センサが検出した回転角度又は回転角速度に基づいて、カメラの回転角度を取得し、前記カメラの第１のプリセット時間範囲内における回転角度が第１のプリセット範囲内にあれば、第１の命令をトリガするために用いられる。
【００３４】
１つの可能な設計において、前記第１のプリセット時間は、０．２〜２ｓの間の任意の時間である。
【００３５】
１つの可能な設計において、前記第１のプリセット時間は、０．５〜１ｓの間の任意の時間である。
【００３６】
１つの可能な設計において、前記第１のプリセット範囲は、１６０°〜２００°又は−２００°〜−１６０°である。
【００３７】
１つの可能な設計において、前記第１のプリセット範囲は、１７０°〜１８０°又は−１９０°〜−１７０°である。
【００３８】
１つの可能な設計において、前記カメラは、前記コントローラと通信可能に接続された加速度計をさらに含み、
前記加速度計は、カメラのＸ軸方向での加速度、Ｙ軸方向での加速度及びＺ軸方向での加速度を検出するために用いられ、
前記コントローラは、具体的には、前記加速度計が検出したカメラのＸ軸方向での加速度、Ｙ軸方向での加速度及びＺ軸方向での加速度を取得し、カメラの第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガするために用いられる。
【００３９】
１つの可能な設計において、前記第２のプリセット時間は、０．５〜２ｓの間の任意の時間である。
【００４０】
１つの可能な設計において、前記第２のプリセット範囲、前記第３のプリセット範囲及び前記第４のプリセット範囲は、いずれも、前記カメラの運動状態が往復運動である場合に対応する範囲である。
【００４１】
１つの可能な設計において、前記第２のプリセット範囲、前記第３のプリセット範囲及び前記第４のプリセット範囲は、いずれも、前記カメラの運動状態が第１の方向へ運動する場合に対応する範囲である。
【００４２】
１つの可能な設計において、
前記コントローラは、具体的には、ユーザの前記第２のスクリーン又は前記第１のスクリーンのプリセット位置に対するプリセット回数のクリック操作を検出すると、第１の命令をトリガするために用いられる。
【００４３】
１つの可能な設計において、前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域である。
【００４４】
１つの可能な設計において、前記プリセット回数は、１回又は２回又は３回である。
【００４５】
１つの可能な設計において、前記カメラは、前記カメラの側壁に設置されたプリセット物理的ボタンをさらに含み、
前記プリセット物理的ボタンは、前記コントローラと通信可能に接続され、
前記コントローラは、具体的には、ユーザによる前記プリセット物理的ボタンに対する操作を検出すると、第１の命令をトリガするために用いられる。
【００４６】
１つの可能な設計において、ユーザによる前記端末装置のプリセット物理的ボタンに対する前記操作は、
ユーザが前記プリセット物理的ボタンをクリックすること、
ユーザが前記プリセット物理的ボタンを第１の位置から第２の位置までスライドさせること、
ユーザが前記プリセット物理的ボタンを第３のプリセット時間押すことのうちのいずれか一つを含む。
【００４７】
１つの可能な設計において、前記第３のプリセット時間は、１ｓ〜２ｓの間の任意の時間である。
【００４８】
１つの可能な設計において、前記カメラは、前記コントローラと通信可能に接続された音声受信機をさらに含み、
前記音声受信機は、ユーザの音声信号を受信するために用いられ、
前記コントローラは、具体的には、前記音声受信機からユーザの音声信号を取得し、前記音声信号を認識し、前記音声信号に対応するテキスト情報を得て、前記テキスト情報が前記カメラに予め記憶されたテキスト情報と同じであれば、第１の命令をトリガするために用いられる。
【００４９】
１つの可能な設計において、前記スクリーン制御装置は、前記コントローラと通信可能に接続された画像収集装置をさらに含み、
前記画像収集装置は、前記第１のスクリーンに表示された画像を収集するために用いられ、
前記コントローラは、具体的には、前記画像を取得し、前記画像に含まれる顔画像がターゲット顔画像であり、かつ前記ターゲット顔画像の前記画像に占める比率がプリセット比率よりも大きければ、第１の命令をトリガするために用いられ、
前記ターゲット顔画像は、前記スクリーン制御装置内に記憶された顔画像である。
【００５０】
１つの可能な設計において、前記プリセット比率は、９０％〜１００％の間の任意の比率である。
【００５１】
第３の態様において、本発明の実施例は、
プログラム命令を記憶するためのメモリと、メモリと結合され、メモリ中のプログラム命令を呼び出して上記第１の態様及び各可能な設計に記載の方法を実行するためのプロセッサとを含むスクリーン制御装置を提供する。
【００５２】
第４の態様において、本発明の実施例は、コンピュータによって実行されて、前記コンピュータが上記第１の態様及び各可能な設計に記載の方法を実行するように制御できる少なくとも１つの段落のコードを含むコンピュータプログラムが記憶されているコンピュータ可読記憶媒体を提供する。
【００５３】
第５の態様において、本発明の実施例は、コンピュータによって実行されると、上記第１の態様及び各可能な設計に記載の方法を実行するためのコンピュータプログラムを提供する。
【００５４】
前記プログラムの全部又は一部は、プロセッサと共にパッケージされた記憶媒体に記憶されてもよいし、一部又は全部がプロセッサと共にパッケージされていない記憶媒体に記憶されてもよい。
【００５５】
記憶媒体は、例えば、メモリである。
【００５６】
上述したように、本願のスクリーン制御装置は、自撮りのときにユーザが向いているスクリーンであるカメラの第２のスクリーンに、レンズで撮影された画像を表示すると指示する命令に応じて、レンズで撮影された画像を第２のスクリーンに表示するように制御する。
【００５７】
このようにして、ユーザは、自撮りのときに、レンズで撮影された画像を見ることができ、それによりユーザが所望する画面を撮影することができ、ユーザ体験が向上する。
【図面の簡単な説明】
【００５８】
本願の実施例又は従来技術における技術的解決手段をより明確に説明するために、以下、実施例又は従来技術の説明に使用する必要のある図面を簡単に紹介し、明らかに、以下の説明における図面は本願のいくつかの実施例に過ぎず、当業者にとって、創造的な労働をしない前提で、これらの図面に基づいて他の図面を得ることができる。
【図１】本願に係るカメラの立体構造の概略図１である。
【図２】図１におけるカメラのＡ方向に沿った正面図である。
【図３】本願に係るカメラの立体構造の概略図２である。
【図４】本願の実施例に係るスクリーン制御方法のフローチャート１である。
【図５】本願の実施例に係るスクリーン制御方法のフローチャート２である。
【図６】本願の実施例に係るスクリーン制御方法のフローチャート３である。
【図７】本願の実施例に係るスクリーン制御方法のフローチャート４である。
【図８】本願の実施例に係るスクリーン制御方法のフローチャート５である。
【図９】本願の実施例に係るスクリーン制御方法のフローチャート６である。
【図１０】本願の実施例に係るスクリーン制御方法のフローチャート７である。
【図１１】本願の実施例に係るスクリーン制御方法のフローチャート８である。
【図１２】本発明の実施例に係るスクリーン制御装置の構造の概略図１である。
【図１３】本発明の実施例に係るスクリーン制御装置の構造の概略図２である。
【図１４】本発明の実施例に係るスクリーン制御装置の構造の概略図３である。
【図１５】本発明の実施例に係るスクリーン制御装置の構造の概略図４である。
【図１６】本発明の実施例に係るスクリーン制御装置の構造の概略図５である。
【図１７】本発明の実施例に係るスクリーン制御装置の構造の概略図６である。
【図１８】本発明の実施例に係るスクリーン制御装置の構造の概略図７である。
【発明を実施するための形態】
【００５９】
本願の実施例の目的、技術的解決手段及び利点をより明確にするために、以下、本発明の実施例における図面を参照しながら、本発明の実施例における技術的解決手段を明確かつ完全に説明し、明らかに、説明される実施例は、本願の一部の実施例であり、全ての実施例ではない。
【００６０】
本願の実施例に基づいて、当業者が創造的な労働をせずに得られる他の全ての実施例は、いずれも本願の保護範囲にあるものである。
【００６１】
本願の実施例は、スクリーン制御方法及び装置を提供する。
【００６２】
スクリーン制御装置は、カメラであってもよい。
【００６３】
ユーザは、非自撮りのとき、カメラを用いるとき、第１のスクリーンに向いているため、レンズで撮影された画像をはっきりと知ることができ、所望の場面を撮影することができるが、ユーザは、自撮りするとき、第２のスクリーンに向いているため、第１のスクリーンに表示されているレンズで撮影された画像を知ることができない。
【００６４】
上述した問題を解決するために、本願の実施例は、カメラを提供する。
【００６５】
図１は、本願に係るカメラの立体構造の概略図１であり、図２は図１におけるカメラのＡ方向に沿った正面図であり、
図１及び図２を参照すると、カメラは、本体１０と、第１のスクリーン１１と、第２のスクリーン１２と、レンズ１３と、シャッタ１４とを含み、第１のスクリーン１１、第２のスクリーン１２、レンズ１３およびシャッタ１４は本体１０に設置され、第１のスクリーン１１と第２のスクリーンとは互いに背向して設置され、レンズ１３は、第２のスクリーン１２の側に設置され、第１のスクリーン１１は、カメラが起動された後にレンズ１３で撮影された画像を表示するスクリーンである。
【００６６】
本実施例のカメラは、第１の命令を取得するためのコントローラをさらに含む。
【００６７】
理解できるように、第１のスクリーン１１と第２のスクリーン１２とは互いに背向して設置されているため、図１において第２のスクリーン１２のみが見られ、図２において第１のスクリーン１１が明確に見られる。
【００６８】
図３は、本願に係るカメラの立体構造の概略図２であり、図３を参照すると、図１及び図２に係るカメラをもとに、カメラは、スクリーン切り替えキー１５をさらに含むことができ、ユーザがスクリーン切り替えキー１５を操作すると、コントローラは、第１の命令を取得し、かつ第１の命令に応じて第１のスクリーン１１から第２のスクリーン１２に切り替えてレンズ１３で撮影された画像を表示するか、又は第２のスクリーン１２から第１のスクリーン１１に切り替えてレンズ１３で撮影された画像を表示するように制御する
以下、具体的な実施例を参照しながら、本願に係る図１、図２又は図３に示すカメラのスクリーン制御方法を説明する。
【００６９】
図４は、本願の実施例に係るスクリーン制御方法のフローチャートであり、図４に示すように、本実施例の方法は、
第１のスクリーン１１から第２のスクリーン１２に切り替えてレンズ１３で撮影された画像を表示するか、又は第２のスクリーン１２から第１のスクリーン１１に切り替えてレンズ１３で撮影された画像を表示するように制御するための第１の命令を取得するステップＳ１０１と、
第１の命令に応じて、第１のスクリーン１１から第２のスクリーン１２に切り替えてレンズ１３で撮影された画像を表示するか、又は第２のスクリーン１２から第１のスクリーン１１に切り替えてレンズ１３で撮影された画像を表示するように制御するステップＳ１０２とを含むことができる。
具体的には、本実施例の実行主体は、図１、図２又は図３に示すカメラであってもよく、
第１のスクリーン１１にレンズ１３で撮影された画像が表示されている場合、ユーザが自撮りしたいときに、ユーザはカメラに対してプリセット操作を行い、カメラのコントローラは、ユーザのプリセット操作に応じてレンズ１３で撮影された画像を表示するスクリーンを切り替えるように指示する第１の命令を取得し、
次に、カメラは、第１の命令に応じて、第１のスクリーン１１から第２のスクリーン１２に切り替えてレンズ１３で撮影された画像を表示するように制御する。
【００７０】
これにより、自撮りするユーザは、第２のスクリーン１２により、レンズ１３で撮影された画像を知ることができ、それによりユーザが所望する画面を撮影することができる。
【００７１】
自撮りの際には、カメラのレンズ１３を自分に向ける必要があり、このとき、第２のスクリーン１２はユーザに向いており、コントローラが第２のスクリーン１２にレンズ１３で撮影された画像を表示するように制御すると、ユーザは自撮りの際に、レンズで撮影された画像を見ることができる。
【００７２】
ユーザが自撮りを完了し、自撮り以外のシーンで画像を撮影するときに、ユーザはカメラのレンズ１３を撮影対象の物体に向けると、第１のスクリーン１１はユーザに向いて、ユーザは再びカメラに対してプリセット操作を行い、カメラのコントローラはユーザのプリセット操作に応じてレンズ１３で撮影された画像を表示するスクリーンを切り替えるように指示する第１の命令を取得し、
次に、カメラは、第１の命令に応じて、第２のスクリーン１２から第１のスクリーン１１に切り替えてレンズ１３で撮影された画像を表示するように制御する。
【００７３】
これにより、自撮りしていないユーザは、改めて第１のスクリーン１１を介してレンズ１３で撮影された画像を知ることができ、それによりユーザが所望する画面を撮影することができる。
【００７４】
また、非自撮りの際には、ユーザがカメラのレンズ１３を撮影対象の物体に向けると、第１のスクリーン１１はユーザに向いており、コントローラが第１のスクリーン１１にレンズ１３で撮影された画像を表示するように制御すると、ユーザは非自撮りのときに、レンズで撮影された画像を見ることができる。
【００７５】
ここで、第１のスクリーン１１と第２のスクリーンは、タッチスクリーンであってもよく、プリセット操作は、カメラの第２のスクリーン１２又は第１のスクリーン１１にプリセット軌跡をタッチすること、プリセット音声を発すること、プリセット動作に応じてカメラを移動させること、第２のスクリーン１２又は第１のスクリーン１１におけるプリセット位置をクリックすること、本体１０に設置されたスクリーン切り替えキー１５をクリックすることなどであってもよい。
【００７６】
さらに、カメラの消費電力を節約するために、コントローラは、第１のスクリーン１１から第２のスクリーン１２に切り替えてレンズ１３で撮影された画像を表示するように制御した後、第１のスクリーン１１がスクリーンオフ状態になるように制御し、
或いは、
第２のスクリーン１２から第１のスクリーン１１に切り替えてレンズ１３で撮影された画像を表示するように制御した後、第２のスクリーン１２がスクリーンオフ状態になるように制御する。
【００７７】
本実施例において、カメラはレンズで撮影された画像を切り替えるように指示する第１の命令に応じて、第１のスクリーンから第２のスクリーンに切り替えてレンズで撮影された画像を表示するか、又は第２のスクリーンから第１のスクリーンに切り替えてレンズで撮影された画像を表示するように制御し、第２のスクリーンは、自撮りのときにユーザが向いているスクリーンである。
【００７８】
このようにして、ユーザは、自撮りのときにも、非自撮りのときにも、レンズで撮影された画像を見ることができ、それによりユーザの所望する画面を撮影し、ユーザ体験を向上させることができる。
【００７９】
また、図１に示す実施例におけるスクリーン制御方法に加えて、スクリーン制御方法は、以下のような実施形態を有することができる。
【００８０】
第１のスクリーン１１にレンズ１３で撮影された画像が表示され、第２のスクリーン１２にレンズ１３で撮影された画像が表示されていない場合、ユーザは、自撮りのときに、カメラに対してプリセット操作を行い、コントローラはプリセット操作に応じて第１の命令を取得した後、第１の命令に応じて第２のスクリーン１２にレンズ１３で撮影された画像を表示するように制御したが、第１のスクリーン１１には依然としてレンズ１３で撮影された画像が表示されている。
【００８１】
つまり、２つのスクリーンは、レンズ１３で撮影された画像を同時に表示する。
【００８２】
このような実施形態において、自撮りから非自撮りに移行するときに、プリセット操作を再び行う必要がなく、再び自撮りのときにも、プリセット操作を行う必要がない。
【００８３】
以下、図５から図１１に示す実施例によって、図１に示す実施例におけるユーザが自撮りするシーンでのスクリーン制御方法について詳細に説明する。
【００８４】
図５は、本願の実施例に係るスクリーン制御方法のフローチャート２であり、図５に示すように、本実施例の方法は、
ユーザの第２のスクリーン１２又は第１のスクリーン１１におけるタッチ軌跡を取得するステップＳ２０１と、
ユーザの第２のスクリーン１２又は第１のスクリーン１１におけるタッチ軌跡がカメラに記憶されたプリセット軌跡と同じであれば、第１の命令をトリガするステップＳ２０２と、
第１の命令に応じて、第１のスクリーン１１から第２のスクリーン１２に切り替えてレンズ１３で撮影された画像を表示するように制御するステップＳ２０３とを含むことができる。
【００８５】
具体的には、本実施における第２のスクリーン１２及び／又は第１のスクリーン１１は、タッチスクリーンである。
【００８６】
第１のスクリーン１１にレンズ１３で撮影された画像が表示されている場合、ユーザが自撮りしたいときに、ユーザの指は第１のスクリーン１１又は第２のスクリーンにおいてタッチ操作を行い、コントローラは、ユーザのタッチ操作に対応するタッチ軌跡を取得し、ユーザの第１のスクリーン１１又は第２のスクリーン１２におけるタッチ軌跡がカメラ内に記憶されたプリセット軌跡と同じであるか否かを判断し、同じであれば、第１の命令をトリガし、
次に、第１の命令がトリガされると、カメラは、第１のスクリーン１１から第２のスクリーン１２に切り替えてレンズ１３で撮影された画像を表示するように制御する。
【００８７】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは自撮りの際に、レンズ１３で撮影された画像を見ることができる。
【００８８】
理解できるように、第２のスクリーン１２と第１のスクリーン１１が共にタッチスクリーンである場合、非自撮りシーンから自撮りシーンに移行するとき、第２のスクリーン１２にレンズ１３で撮影された画像が表示された後に、ユーザはカメラのレンズ１３を自分に向けることができ、このとき、ユーザは、第１のスクリーン１１にタッチ操作を行い、
非自撮りシーンから自撮りシーンに移行するとき、ユーザはまずカメラのレンズ１３を自分に向けると、第２のスクリーン１２はユーザに向いており、ユーザは第２のスクリーン１２にタッチ操作を行う。
【００８９】
本実施例の方法によって、ユーザは、自撮りのときに、レンズで撮影された画像を見ることができ、それによりユーザの所望する画面を撮影でき、ユーザ体験を向上させることができる。
【００９０】
図５に示す実施例に対応して、自撮りから非自撮りに移行するとき、スクリーン制御方法は、
ユーザの第１のスクリーン１１又は第２のスクリーン１２におけるタッチ軌跡を取得することと、
ユーザの第１のスクリーン１１又は第２のスクリーン１２におけるタッチ軌跡がカメラに記憶されたプリセット軌跡と同じであれば、第１の命令をトリガすることと、
第１の命令に応じて、第２のスクリーン１２から第１のスクリーン１１に切り替えてレンズ１３で撮影された画像を表示するように制御することとを含むことができる。
具体的な過程は、ここでは詳述しない。
【００９１】
図６は、本願の実施例に係るスクリーン制御方法のフローチャート３であり、図６に示すように、本実施例の方法は、
カメラの回転角度を取得するステップＳ３０１と、
カメラの第１のプリセット時間内における回転角度が第１のプリセット範囲内にあれば、第１の命令をトリガするステップＳ３０２と、
第１の命令に応じて、第１のスクリーン１１から第２のスクリーン１２に切り替えてレンズ１３で撮影された画像を表示するように制御するステップＳ３０３とを含むことができる。
【００９２】
具体的には、本実施におけるカメラは、角度センサを含む。
【００９３】
角度センサは、電子コンパス、ジャイロスコープのうちの少なくとも１つを含む。
【００９４】
第１のスクリーン１１にレンズ１３で撮影された画像が表示されている場合、ユーザは、自撮りしたいときに、第１のプリセット時間内にカメラを第１のプリセット範囲内の任一の角度に回転させることができ、このとき、カメラ内の角度センサは、カメラの回転角度又は回転角速度を検出することができ、
角度センサがジャイロスコープである場合、ジャイロスコープは、カメラの回転角速度を検出することができ、カメラ内のコントローラは、ジャイロスコープで検出した回転角速度に基づいて、カメラの回転角度を取得し、
角度センサが電子コンパスであれば、電子コンパスは、カメラの回転角度を検出することができ、カメラ内のコントローラは、電子コンパスで検出したカメラの回転角度を取得する。
【００９５】
カメラ内のコントローラが取得した第１のプリセット時間内の回転角度は第１のプリセット範囲内にあれば、第１の命令をトリガする。
【００９６】
カメラは、回転中に、第２のスクリーン１２を常にユーザに向けていることを維持することができることを理解されたい。
【００９７】
任意選択的に、第１のプリセット時間は、０．２〜２ｓの間の任意の時間である。
【００９８】
任意選択的に、第１のプリセット時間は、０．５〜１ｓの間の任意の時間である。
【００９９】
任意選択的に、第１のプリセット範囲は、１６０°〜２００°又は−２００°〜−１６０°である。
【０１００】
任意選択的に、前記第１のプリセット範囲は、１７０°〜１８０°又は−１９０°〜−１７０°である。
【０１０１】
正の角度範囲は、カメラが時計回りに回転することを示し、負の角度範囲は、カメラが反時計回りに回転することを示す。
【０１０２】
例えば、
１ｓ内にカメラが１８０°回転したことをカメラが検出すると、第１の命令をトリガし、
また、例えば、
０．８ｓ内にカメラが−１７５°回転したことをカメラが検出すると、第１の命令をトリガする。
【０１０３】
次に、第１の命令がトリガされると、カメラは、第１のスクリーン１１から第２のスクリーン１２に切り替えてレンズ１３で撮影された画像を表示するように制御する。
【０１０４】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは自撮りの際に、レンズ１３で撮影された画像を見ることができる。
【０１０５】
本実施例の方法によって、ユーザは、レンズで撮影された画像を見ることができ、それによりユーザが所望する画面を撮影でき、ユーザ体験を向上させることができる。
【０１０６】
図６に示す実施例に対応して、ユーザが自撮りから非自撮りに移行するとき、スクリーン制御方法は、
カメラの回転角度を取得することと、
カメラの第１のプリセット時間内における回転角度が第１のプリセット範囲内にあれば、第１の命令をトリガすることと、
第１の命令に応じて、第２のスクリーン１２から第１のスクリーン１１に切り替えてレンズ１３で撮影された画像を表示するように制御することとを含むことができる。
具体的な過程は、ここでは詳述しない。
【０１０７】
図７は、本願の実施例に係るスクリーン制御方法のフローチャート４であり、図７に示すように、本実施例の方法は、
カメラのＸ軸方向での加速度、Ｙ軸方向での加速度及びＺ軸方向での加速度を取得するステップＳ４０１と、
カメラの第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガするステップＳ４０２と、
第１の命令に応じて、第１のスクリーン１１から第２のスクリーン１２に切り替えてレンズ１３で撮影された画像を表示するように制御するステップＳ４０３とを含むことができる。
【０１０８】
具体的には、本実施におけるカメラは、加速度計又はカメラの加速度を計測できる他の構造であってもよい。
【０１０９】
第１のスクリーン１１にレンズ１３で撮影された画像が表示されている場合、ユーザが自撮りしたいとき、一実施形態において、ユーザは、第２のプリセット時間内にカメラを往復移動させることができ、つまり、カメラを往復運動させ、このとき、カメラ内の加速度計がカメラの運動中のＸ軸方向での加速度、Ｙ軸方向での加速度、Ｚ軸方向での加速度を検出し、カメラ内のコントローラがカメラの運動中のＸ軸方向での加速度、Ｙ軸方向での加速度、Ｚ軸方向での加速度を取得した後、カメラの第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあると判断した場合、第１の命令をトリガする。
【０１１０】
第２のプリセット範囲、第３のプリセット範囲及び第４のプリセット範囲は、カメラの運動状態が往復運動である場合に対応する範囲である。
【０１１１】
往復運動は、前後往復運動、左右往復運動、上下往復運動、又は水平面と一定の傾斜角度をなす方向での往復運動（つまり、ユーザが携帯電話を自由に揺動したり振ったりすること）のうちのいずれか１つであってもよい。
【０１１２】
カメラの前後往復運動が第１の命令をトリガできる場合、カメラを第２のプリセット範囲内に事前に前後移動させ、このときのカメラのＸ軸方向での加速度範囲、Ｙ軸方向での加速度範囲、Ｚ軸方向での加速度範囲を取得することができる。
【０１１３】
該過程を複数回行い、カメラが第２のプリセット時間内に前後往復運動するときに対応する第２のプリセット範囲、第３のプリセット範囲、第４のプリセット範囲を統計して取得し、かつカメラ出荷時にカメラ内に記憶する。
【０１１４】
カメラが第２のプリセット時間内に左右往復運動、上下往復運動、又は水平面と一定の傾斜角度をなす方向に往復運動するときにそれぞれ対応する第２のプリセット範囲、第３のプリセット範囲、第４のプリセット範囲を同様の方法で取得することができる。
【０１１５】
理解できるように、上記４種類の異なる形式の往復移動は、少なくとも４組の加速度範囲に対応し、各組の加速度範囲は、
１つの第２のプリセット範囲、１つの第３のプリセット範囲、１つの第４のプリセット範囲を含む。
【０１１６】
出荷時にカメラ内に少なくとも４組の加速度範囲のうちの少なくとも１組を記憶することができる。
【０１１７】
例えば、記憶されたのはカメラが第２のプリセット時間内に左右往復運動するときに対応する第２のプリセット範囲、第３のプリセット範囲、第４のプリセット範囲である場合、カメラが左右往復運動するときに第１の命令をトリガできることを示す。
【０１１８】
ユーザが第２のスクリーン１２にレンズ１３で撮影された画像を表示しようとする場合、ユーザは、第２のプリセット時間内にカメラを左右移動させて、カメラを左右往復運動させることができる。
【０１１９】
また、例えば、記憶されたのはカメラが第２のプリセット時間内に左右往復運動するときに対応する第２のプリセット範囲、第３のプリセット範囲、第４のプリセット範囲であり、及び第２のプリセット時間内に前後往復運動するときに対応する第２のプリセット範囲、第３のプリセット範囲、第４のプリセット範囲である場合、カメラが左右往復運動又は前後往復運動するときに第１の命令をトリガできることを示す。
【０１２０】
ユーザが第２のスクリーン１２にレンズ１３で撮影された画像を表示しようとする場合、ユーザは、第２のプリセット時間内にカメラを左右移動又は前後移動させて、カメラを左右往復運動又は前後往復運動させることができる。
【０１２１】
任意選択的には、第２のプリセット時間は、０．５〜２ｓである。
【０１２２】
別の実施形態において、ユーザが第２のプリセット時間内にカメラを一方向に移動させ、つまり、カメラを一方向に運動させ、このとき、カメラ内の加速度計がカメラの運動中のＸ軸方向での加速度、Ｙ軸方向での加速度、Ｚ軸方向での加速度を検出し、カメラ内のコントローラがカメラの運動中のＸ軸方向での加速度、Ｙ軸方向での加速度、Ｚ軸方向での加速度を取得した後、カメラの第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあると判断した場合、第１の命令をトリガする。
【０１２３】
このとき、第２のプリセット範囲、第３のプリセット範囲及び第４のプリセット範囲は、カメラの運動状態が第１の方向への運動である場合に対応する範囲である。
【０１２４】
第１の方向への運動は上への運動、下への運動、左への運動、右への運動、傾斜運動であってもよい。
【０１２５】
理解できるように、上記５種類の異なる形式の第１の方向への運動は、少なくともとも５組の加速度範囲に対応し、各組の加速度範囲は、
１つの第２のプリセット範囲、１つの第３のプリセット範囲、１つの第４のプリセット範囲を含む。
【０１２６】
出荷時にカメラ内に少なくとも５組の加速度範囲のうちの少なくとも１組を記憶することができる。
【０１２７】
各組の加速度範囲に含まれる第２のプリセット範囲、第３のプリセット範囲、第４のプリセット範囲を取得する方法は、前の実施形態における方法を参照し、ここでは詳述しない。
【０１２８】
任意選択的には、第２のプリセット時間は、０．５〜２ｓである。
【０１２９】
次に、第１の命令がトリガされると、カメラは、第１のスクリーン１１から第２のスクリーン１２に切り替えてレンズ１３で撮影された画像を表示するように制御する。
【０１３０】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは、自撮りの際に、レンズ１３で撮影された画像を見ることができる。
【０１３１】
本実施例の方法によって、ユーザは、自撮りのときに、レンズで撮影された画像を見ることができ、それによりユーザが所望する画面を撮影でき、ユーザ体験を向上させることができる。
【０１３２】
図７に示す実施例に対応して、ユーザが自撮りから非自撮りに移行するとき、スクリーン制御方法は、
カメラのＸ軸方向での加速度、Ｙ軸方向での加速度及びＺ軸方向での加速度を取得することと、
カメラの第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガすることと、
第１の命令に応じて、第２のスクリーン１２から第１のスクリーン１１に切り替えてレンズ１３で撮影された画像を表示するように制御することとを含むことができる。
具体的な過程は、ここでは詳述しない。
【０１３３】
図８は、本願の実施例に係るスクリーン制御方法のフローチャート５であり、図８に示すように、本実施例の方法は、
ユーザの第２のスクリーン１２又は第１のスクリーン１１のプリセット位置に対するプリセット回数のクリック操作を検出すると、第１の命令をトリガするステップＳ５０１と、
第１の命令に応じて、第１のスクリーン１１から第２のスクリーン１２に切り替えてレンズ１３で撮影された画像を表示するように制御するステップＳ５０２とを含むことができる。
【０１３４】
具体的には、本実施における第２のスクリーン１２及び／又は第１のスクリーン１１は、タッチスクリーンである。
【０１３５】
そして、本実施におけるカメラの第２のスクリーン１２及び／又は第１のスクリーン１１にプリセットアイコンボタンが表示されてもよい。
【０１３６】
第１のスクリーン１１にレンズ１３で撮影された画像が表示されている場合、ユーザは、自撮りしたいときに、一実施態様において、第２のスクリーン１２又は第１のスクリーン１１におけるプリセットアイコンボタンをクリックすることができ、カメラがユーザの第２のスクリーン１２又は第１のスクリーン１１におけるプリセットアイコンボタンに対する１回のクリック操作を検出すると、第１の命令がトリガされる。
【０１３７】
このとき、プリセット位置は、第２のスクリーン１２又は第１のスクリーン１１におけるプリセットアイコンボタンの位置である。
【０１３８】
理解できるように、プリセットアイコンボタンの名称は、スクリーン切り替え又はスクリーン制御などであってもよい。
【０１３９】
別の実施形態において、ユーザが第２のスクリーン１２又は第１のスクリーン１１上の空白領域をプリセット回数クリックすることができ、カメラはユーザの第２のスクリーン１２又は第１のスクリーン１１上の空白領域に対するプリセット回数のクリック操作を検出すると、第１の命令をトリガすることができる。
【０１４０】
このとき、プリセット位置は、第２のスクリーン１２又は第１のスクリーン１１上の空白領域である。
【０１４１】
任意選択的に、プリセット回数は、１回又は２回又は３回である。
【０１４２】
次に、第１の命令がトリガされると、カメラは、第１のスクリーン１１から第２のスクリーン１２に切り替えてレンズ１３で撮影された画像を表示するように制御する。
【０１４３】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは、自撮りの際に、レンズ１３で撮影された画像を見ることができる。
【０１４４】
理解できるように、第２のスクリーン１２と第１のスクリーン１１が共にタッチスクリーンである場合、非自撮りシーンから自撮りシーンに移行するとき、第２のスクリーン１２にレンズ１３で撮影された画像を表示した後に、ユーザはカメラのレンズ１３を自分に向けることができ、このとき、ユーザは、第１のスクリーン１１にクリック操作を行い、
非自撮りシーンから自撮りシーンに移行するとき、ユーザがまずカメラのレンズ１３を自分に向けると、第２のスクリーン１２はユーザに向いて、ユーザは第２のスクリーン１２にクリック操作を行う。
【０１４５】
本実施例の方法によって、ユーザは、自撮りのときに、レンズで撮影された画像を見ることができ、それによりユーザが所望する画面を撮影し、ユーザ体験を向上させることができる。
【０１４６】
図８に示す実施例に対応して、自撮りから非自撮りに移行するとき、スクリーン制御方法は、
ユーザの第１のスクリーン１１又は第２のスクリーン１２のプリセット位置に対するプリセット回数のクリック操作を検出すると、第１の命令をトリガすることと、
第１の命令に応じて、第２のスクリーン１２から第１のスクリーン１１に切り替えてレンズ１３で撮影された画像を表示するように制御することとを含むことができる。
具体的な過程は、ここでは詳述しない。
【０１４７】
図９は、本願の実施例に係るスクリーン制御方法のフローチャート５であり、図９に示すように、本実施例の方法は、
ユーザのカメラのプリセット物理的ボタンに対する操作を検出すると、第１の命令をトリガするステップＳ６０１と、
第１の命令に応じて、第１のスクリーン１１から第２のスクリーン１２に切り替えてレンズ１３で撮影された画像を表示するように制御するステップＳ６０２とを含むことができる。
【０１４８】
具体的には、本実施におけるカメラは、プリセット物理的ボタンを有するカメラである。
【０１４９】
第１のスクリーン１１にレンズ１３で撮影された画像が表示されている場合、ユーザが自撮りしたいときに、プリセット物理的ボタンを操作することができ、カメラがユーザのプリセット物理的ボタンに対する操作を検出すると、第１の命令をトリガする。
【０１５０】
プリセット物理的ボタンは、図３に示すスクリーン切り替えキー１５のように、カメラに新たに追加された、レンズ１３で撮影された画像を表示するスクリーンを切り替えるための専用のスクリーンの物理的ボタンである。本実施例において、物理的ボタンは、押し可能なキーに限らず、スライド可能なキーであってもよい。
【０１５１】
ユーザのプリセット物理的ボタンに対する操作は、ユーザがプリセット物理的ボタンをクリックすること（すなわちプリセット物理的ボタンを押すとすぐに緩める）、ユーザがプリセット物理的ボタンを第１の位置から第２の位置までスライドさせること、さらにユーザがプリセット物理的ボタンを第３のプリセット時間押すこととすることができる。
【０１５２】
任意選択的に、第３のプリセット時間は、１ｓ〜２ｓの間の任意の時間である。
【０１５３】
次に、第１の命令がトリガされると、カメラは、第１のスクリーン１１から第２のスクリーン１２に切り替えてレンズ１３で撮影された画像を表示する。
【０１５４】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは自撮りの際に、レンズ１３で撮影された画像を見ることができる。
【０１５５】
本実施例の方法によって、ユーザは、自撮りのときに、レンズで撮影された画像を見ることができ、それによりユーザが所望する画面を撮影し、ユーザ体験を向上させることができる。
【０１５６】
図９に示す実施例に対応して、自撮りから非自撮りに移行するとき、スクリーン制御方法は、
ユーザのカメラのプリセット物理的ボタンに対する操作を検出すると、第１の命令をトリガすることと、
第１の命令に応じて、第２のスクリーン１２から第１のスクリーン１１に切り替えてレンズ１３で撮影された画像を表示するように制御することとを含むことができる。
具体的な過程は、ここでは詳述しない。
【０１５７】
図１０は、本願の実施例に係るスクリーン制御方法のフローチャート６であり、図１０に示すように、本実施例の方法は、
ユーザの音声信号を取得するステップＳ７０１と、
ユーザの音声信号を認識し、ユーザの音声信号に対応するテキスト情報を得るステップＳ７０２と、
該テキスト情報がカメラに予め記憶されたテキスト情報と同じであれば、第１の命令をトリガするステップＳ７０３と、
第１の命令に応じて、第１のスクリーン１１から第２のスクリーン１２に切り替えてレンズ１３で撮影された画像を表示するように制御するステップＳ７０４とを含むことができる。
【０１５８】
具体的には、本実施におけるカメラは、音声受信機及び音声認識機能を有するカメラである。
本実施における音声受信機は、マイクロフォンであってもよい。
【０１５９】
第１のスクリーン１１にレンズ１３で撮影された画像が表示されている場合、ユーザが自撮りしたいときに、プリセット単語又はセンテンスを話すことができ、カメラの音声受信機は、プリセット単語又はセンテンスに対応する音声信号を受信し、
カメラのコントローラは、該音声信号を取得し、かつ該音声信号を認識し、該音声信号に対応するテキスト情報を得ることができ、
そして該音声信号に対応するテキスト情報がカメラに予め記憶されたテキスト情報と同じであるか否かを判断し、そうであれば、第１の命令をトリガする。
【０１６０】
プリセット単語は、「切り替え」又は「スクリーン」であってもよく、プリセットセンテンスは、「前スクリーンで画像を表示する」ことであってもよい。
【０１６１】
プリセット単語が切り替えである場合、カメラに予め記憶されたテキスト情報は「切り替え」である。
【０１６２】
次に、第１の命令がトリガされると、カメラは、第１のスクリーン１１から第２のスクリーン１２に切り替えてレンズ１３で撮影された画像を表示するように制御する。
【０１６３】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは、自撮りの際に、レンズ１３で撮影された画像を見ることができる。
【０１６４】
本実施例の方法によって、ユーザは、自撮りのときに、レンズで撮影された画像を見ることができ、それによりユーザが所望する画面を撮影し、ユーザ体験を向上させることができる。
【０１６５】
図１０に示す実施例に対応して、ユーザが自撮りから非自撮りに移行するとき、スクリーン制御方法は、
ユーザの音声信号を取得すること、
ユーザの音声信号を認識し、ユーザの音声信号に対応するテキスト情報を取得することと、
該テキスト情報がカメラに予め記憶されたテキスト情報と同じであれば、第１の命令をトリガすることと、
第１の命令に応じて、第２のスクリーン１２から第１のスクリーン１１に切り替えてレンズ１３で撮影された画像を表示するように制御することとを含む。
具体的な過程は、ここでは詳述しない。
【０１６６】
図１１は、本願の実施例に係るスクリーン制御方法のフローチャート７であり、図１１に示すように、本実施例の方法は、
第１のスクリーン１１に表示された画像を取得するステップＳ８０１と、
第１のスクリーン１１に表示された画像に含まれる顔画像がターゲット顔画像であり、かつターゲット顔画像の第１のスクリーン１１に表示された画像に占める比率がプリセット比率よりも大きい場合、第１の命令をトリガするステップＳ８０２と、
ターゲット顔画像は、カメラ内に記憶された顔画像であり、
第１の命令に応じて、第１のスクリーン１１から第２のスクリーン１２に切り替えてレンズ１３で撮影された画像を表示するように制御するステップＳ８０３とを含むことができる。
【０１６７】
具体的には、本実施例のカメラは、コントローラと通信可能に接続された画像収集装置を含むことができる。
【０１６８】
第１のスクリーン１１にレンズ１３で撮影された画像が表示されている場合、ユーザが自撮りしたいときに、自分の顔をできるだけレンズ１３に近づけることができ、画像収集装置が第１のスクリーン１１に表示された全体の画像を収集し、カメラのコントローラが収集された第１のスクリーン１１に表示された全体の画像を取得して、全体の画像中の顔画像がターゲット顔画像であるか否かを検出し、そうであれば、全体画像に占めるターゲット顔画像の比率がプリセット比率より大きいか否かを判断し、そうであれば、第１の命令をトリガする。
【０１６９】
ターゲット顔画像は、カメラ内に記憶された顔画像である。
【０１７０】
任意選択的に、プリセット比率は、９０％〜１００％の間の任意の比率であり、
プリセット比率は、９５％〜１００％の間の任意の比率であり、
プリセット比率は、カメラに記憶される。
【０１７１】
次に、第１の命令がトリガされると、カメラは、第１のスクリーン１１から第２のスクリーン１２に切り替えてレンズ１３で撮影された画像を表示するように制御する。
【０１７２】
自撮りの際には、カメラのレンズ１３を自分に向ける必要があり、第２のスクリーン１２がユーザに向いているため、コントローラが第２のスクリーン１２にレンズ１３で撮影された画像を表示するように制御すると、ユーザは自撮りの際に、レンズ１３で撮影された画像を見ることができる。
【０１７３】
本実施例の方法によって、ユーザは、自撮りのときに、レンズで撮影された画像を見ることができ、それによりユーザは所望する画面を撮影でき、ユーザ体験を向上させることができる。
【０１７４】
図１１に示す実施例に対応して、ユーザが自撮りから非自撮りに移行するとき、スクリーン制御方法は、
第２のスクリーン１２に表示された画像を取得することと、
第２のスクリーン１２に表示された画像に含まれる顔画像がカメラ内に記憶された顔画像であるターゲット顔画像であり、かつターゲット顔画像の第２のスクリーン１２に表示された画像に占める比率がプリセット比率よりも大きい場合、第１の命令をトリガすることと、
第１の命令に応じて、第２のスクリーン１２から第１のスクリーン１１に切り替えてレンズ１３で撮影された画像を表示するように制御することとを含む。
具体的な過程は、ここでは詳述しない。
【０１７５】
図１２は、本発明の実施例に係るスクリーン制御装置の構造の概略図１であり、図１２に示すように、本実施例のスクリーン制御装置４００は、
メモリ４１とプロセッサ４２とを含み、メモリ４１とプロセッサ４２とが結合される。
【０１７６】
メモリ４１は、プログラム命令を記憶するために用いられ、
プロセッサ４２は、メモリ４１中のプログラム命令を呼び出して上記各実施例の手段を実行するために用いられる。
【０１７７】
本実施例のスクリーン制御装置は、上述した各方法実施例における技術的解決手段を実行するために用いられてもよく、その実現原理及び技術的効果は類似しており、ここでは詳述しない。
【０１７８】
以下の各実施例におけるコントローラは、プロセッサ４１の少なくとも一部である。
【０１７９】
図１３は、本発明の実施例に係るスクリーン制御装置の構造の概略図２であり、図１３に示すように、本実施例のスクリーン制御装置は、本体と、第１のスクリーンと、第２のスクリーンと、レンズと、前記本体内に設置されたコントローラとを含み、前記第１のスクリーン、前記第２のスクリーンおよび前記レンズは前記本体に設置され、
前記第一スクリーンと第二スクリーンとは背向して設置され，前記レンズは前記第二スクリーンの側に設置され、
前記コントローラは、前記第１のスクリーン、前記第２のスクリーン及び前記レンズと通信可能に接続され、
前記第１のスクリーンは、前記スクリーン制御装置が起動された後に前記レンズで撮影された画像を表示するスクリーンであり、
前記コントローラ５１は、前記第２のスクリーンに前記レンズで撮影された画像を表示するように指示するための第１の命令を取得し、
そして
前記第１の命令に応じて、前記第２のスクリーンに前記レンズで撮影された画像を表示するように制御するために用いられる。
【０１８０】
本実施例のスクリーン制御装置は、上述した各方法実施例における技術的解決手段を実行するために用いられてもよく、その実現原理及び技術的効果は類似しており、ここでは詳述しない。
【０１８１】
１つの可能な設計において、前記コントローラは、具体的には、
前記第１の命令に応じて、前記第１のスクリーンに表示された、前記レンズで撮影された画像を前記第２のスクリーンに表示するように切り替えるために用いられる。
【０１８２】
１つの可能な設計において、前記コントローラは、さらに、具体的には、
前記第１のスクリーンがスクリーンオフ状態になるように制御するために用いられる。
【０１８３】
１つの可能な設計において、
前記コントローラは、具体的には、ユーザの前記第２のスクリーン又は前記第１のスクリーンにおけるタッチ軌跡を取得し、前記タッチ軌跡が前記カメラに記憶されたプリセット軌跡と同じであれば、第１の命令をトリガするために用いられる。
【０１８４】
１つの可能な設計において、
前記コントローラは、具体的には、ユーザの前記第２のスクリーン又は前記第１のスクリーンのプリセット位置に対するプリセット回数のクリック操作を検出すると、第１の命令をトリガするために用いられる。
【０１８５】
１つの可能な設計において、前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域である。
【０１８６】
任意選択的に、前記プリセット回数は、１回又は２回又は３回である。
【０１８７】
本実施例のスクリーン制御装置は、上述した各方法実施例における技術的解決手段を実行するために用いられてもよく、その実現原理及び技術的効果は類似しており、ここでは詳述しない。
【０１８８】
図１４は、本発明の実施例に係るスクリーン制御装置の構造の概略図３であり、図１４に示すように、本実施例のスクリーン制御装置は、図１３に示すスクリーン制御装置のもとに、
前記コントローラ５１と通信可能に接続された角度センサ５５をさらに含み、
前記角度センサ５５は、カメラの回転角度又は回転角速度を検出するために用いられ、
前記コントローラ５１は、具体的には、
前記角度センサが検出した回転角度又は回転角速度に基づいて、カメラの回転角度を取得し、前記カメラの第１のプリセット時間範囲内における回転角度が第１のプリセット範囲内にあれば、第１の命令をトリガするために用いられる。
【０１８９】
任意選択的に、前記第１のプリセット時間は、０．２〜２ｓの間の任意の時間である。
【０１９０】
任意選択的に、前記第１のプリセット時間は、０．５〜１ｓの間の任意の時間である。
【０１９１】
任意選択的に、前記第１のプリセット範囲は、１６０°〜２００°又は−２００°〜−１６０°である。
【０１９２】
任意選択的に、前記第１のプリセット範囲は、１７０°〜１８０°又は−１９０°〜−１７０°である。
【０１９３】
本実施例のスクリーン制御装置は、上述した各方法実施例における技術的解決手段を実行するために用いられてもよく、その実現原理及び技術的効果は類似しており、ここでは詳述しない。
【０１９４】
図１５は、本発明の実施例に係るスクリーン制御装置の構造の概略図４であり、図１５に示すように、本実施例のスクリーン制御装置は、図１３に示すスクリーン制御装置のもとに、
前記コントローラ５１と通信可能に接続された加速度計５６をさらに含み、
前記加速度計５６は、カメラのＸ軸方向での加速度、Ｙ軸方向での加速度及びＺ軸方向での加速度を検出するために用いられ、
前記コントローラ５１は、具体的には、
前記加速度計が検出したカメラのＸ軸方向での加速度、Ｙ軸方向での加速度及びＺ軸方向での加速度を取得し、
カメラの第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガするために用いられる。
【０１９５】
１つの可能な設計において、前記第２のプリセット時間は、０．５〜２ｓの間の任意の時間である。
【０１９６】
１つの可能な設計において、前記第２のプリセット範囲、前記第３のプリセット範囲及び前記第４のプリセット範囲は、いずれも、前記カメラの運動状態が往復運動である場合に対応する範囲である。
【０１９７】
１つの可能な設計において、前記第２のプリセット範囲、前記第３のプリセット範囲及び前記第４のプリセット範囲は、いずれも、前記カメラの運動状態が第１の方向へ運動する場合に対応する範囲である。
【０１９８】
本実施例のスクリーン制御装置は、上述した各方法実施例における技術的解決手段を実行するために用いられてもよく、その実現原理及び技術的効果は類似しており、ここでは詳述しない。
【０１９９】
図１６は、本発明の実施例に係るスクリーン制御装置の構造の概略図５であり、図１６に示すように、本実施例のスクリーン制御装置は、図１３に示すスクリーン制御装置のもとに、
前記コントローラ５１と通信可能に接続されたプリセット物理的ボタン５７をさらに含み、
前記コントローラ５１は、具体的には、ユーザによる前記プリセット物理的ボタンに対する操作を検出すると、第１の命令をトリガするために用いられる。
【０２００】
ユーザによる前記カメラのプリセット物理的ボタンに対する前記操作は、
ユーザが前記プリセット物理的ボタンをクリックすること、
ユーザが前記プリセット物理的ボタンを第１の位置から第２の位置までスライドさせること、
ユーザが前記プリセット物理的ボタンを第３のプリセット時間押すことのうちのいずれか一つを含む。
【０２０１】
１つの可能な設計において、前記第３のプリセット時間は、１ｓ〜２ｓの間の任意の時間である。
【０２０２】
本実施例のスクリーン制御装置は、上述した各方法実施例における技術的解決手段を実行するために用いられてもよく、その実現原理及び技術的効果は類似しており、ここでは詳述しない。
【０２０３】
図１７は、本発明の実施例に係るスクリーン制御装置の構造の概略図６であり、図１７に示すように、本実施例のスクリーン制御装置は、図１３に示すスクリーン制御装置のもとに、
前記コントローラ５１と通信可能に接続された音声受信機５８をさらに含み、
前記音声受信機５８は、ユーザの音声信号を受信するために用いられ、
前記コントローラ５１は、具体的には、
前記音声受信機からユーザの音声信号を取得し、
前記音声信号を認識し、前記音声信号に対応するテキスト情報を得て、
前記テキスト情報が前記カメラに予め記憶されたテキスト情報と同じであれば、第１の命令をトリガするために用いられる。
【０２０４】
本実施例のスクリーン制御装置は、上述した各方法実施例における技術的解決手段を実行するために用いられてもよく、その実現原理及び技術的効果は類似しており、ここでは詳述しない。
【０２０５】
図１８は、本発明の実施例に係るスクリーン制御装置の構造の概略図７であり、図１８に示すように、本実施例のスクリーン制御装置は、図１３に示すスクリーン制御装置のもとに、
前記コントローラ５１と通信可能に接続された画像収集装置５９をさらに含み、
前記画像収集装置５９は、前記第１のスクリーンに表示された画像を収集するために用いられ、
前記コントローラ５１は、具体的には、前記画像を取得し、前記画像に含まれる顔画像がターゲット顔画像であり、かつ前記ターゲット顔画像の前記画像に占める比率がプリセット比率よりも大きい場合、第１の命令をトリガするために用いられ、
前記ターゲット顔画像は、前記スクリーン制御装置内に記憶された顔画像である。
【０２０６】
１つの可能な設計において、前記プリセット比率は、９０％〜１００％の間の任意の比率である。
【０２０７】
本実施例のスクリーン制御装置は、上述した各方法実施例における技術的解決手段を実行するために用いられてもよく、その実現原理及び技術的効果は類似しており、ここでは詳述しない。
【０２０８】
当業者であれば、
上述した各方法の実施例を実現するステップの全部又は一部は、プログラム命令に関連するハードウェアにより達成することができることを理解するであろう。
上述のプログラムは、コンピュータ読み取り可能な記憶媒体に記憶されてもよい。
該プログラムが実行されるとき、上述した各方法実施例を含むステップを実行し、
また、上述の記憶媒体は、
ＲＯＭ、ＲＡＭ、磁気ディスク、又は光ディスクなどの各種のプログラムコードを記憶可能な媒体を含む。
【０２０９】
最後に、
以上の各実施例は、本願の技術的解決手段を説明するためのものに過ぎず、それを制御するものではないことを留意されるべきであり、
前述の各実施例を参照しながら本願について詳細に説明したが、当業者であれば、
依然として前述の各実施例に記載の技術的解決手段を修正するか、又はそのうちの技術的特徴の一部または全部に対して均等物による置換を行うことができるが、
これらの修正又は置換は、対応する技術的解決手段の本質を本願の各実施例の技術的解決手段の範囲から逸脱させるものではない。
【図１】
2020527245.tif 000003
【図２】
2020527245.tif 000004
【図３】
2020527245.tif 000005
【図４】
2020527245.tif 000006
【図５】
2020527245.tif 000007
【図６】
2020527245.tif 000008
【図７】
2020527245.tif 000009
【図８】
2020527245.tif 000010
【図９】
2020527245.tif 000011
【図１０】
2020527245.tif 000012
【図１１】
2020527245.tif 000013
【図１２】
2020527245.tif 000014
【図１３】
2020527245.tif 000015
【図１４】
2020527245.tif 000016
【図１５】
2020527245.tif 000017
【図１６】
2020527245.tif 000018
【図１７】
2020527245.tif 000019
【図１８】
2020527245.tif 000020
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
端末装置に適用されるスクリーン制御方法であって、前記端末装置は、本体と、第１のスクリーンと、第２のスクリーンと、レンズとを含み、前記第１のスクリーン、前記第２のスクリーンおよび前記レンズは前記本体に設置され、前記第１のスクリーンと第２のスクリーンとは互いに背向して設置され、前記レンズは前記第２のスクリーンの側に設置され、前記第１のスクリーンは、前記端末装置が起動された後に、前記レンズで撮影された画像を表示するスクリーンであり、
前記方法は、
前記第２のスクリーンに前記レンズで撮影された画像を表示するように指示するための第１の命令を取得することと、
前記第１の命令に応じて、前記第２のスクリーンに前記レンズで撮影された画像を表示するように制御することとを含むことを特徴とするスクリーン制御方法。
【請求項２】
前記第１の命令に応じて、前記第２のスクリーンに前記レンズで撮影された画像を表示するように制御することは、
前記第１の命令に応じて、前記第１のスクリーンに表示された、前記レンズで撮影された画像を前記第２のスクリーンに表示するように切り替えることを含むことを特徴とする請求項１に記載の方法。
【請求項３】
第１のスクリーンに表示された、前記レンズで撮影された画像を前記第２のスクリーンに表示するように切り替えた後、
前記第１のスクリーンがスクリーンオフ状態になるように制御することをさらに含むことを特徴とする請求項２に記載の方法。
【請求項４】
前記第１の命令を取得することは、
ユーザの前記第２のスクリーン又は前記第１のスクリーンにおけるタッチ軌跡を取得することと、
前記タッチ軌跡が前記端末装置に記憶されたプリセット軌跡と同じであれば、第１の命令をトリガすることとを含むことを特徴とする請求項１から請求項３のいずれか一項に記載の方法。
【請求項５】
前記第１の命令を取得することは、
端末装置の回転角度を取得することと、
端末装置の、第１のプリセット時間内における回転角度が第１のプリセット範囲内にあれば、第１の命令をトリガすることとを含むことを特徴とする請求項１から請求項３のいずれか一項に記載の方法。
【請求項６】
前記端末装置の回転角度を取得することは、
前記端末装置の角度センサにより検出された端末装置の回転角度を取得することを含み、
前記角度センサは、電子コンパス、ジャイロスコープのうちの少なくとも１つを含むことを特徴とする請求項５に記載の方法。
【請求項７】
前記第１の命令を取得することは、
端末装置のＸ軸方向での加速度、Ｙ軸方向での加速度及びＺ軸方向での加速度を取得することと、
端末装置の第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガすることとを含むことを特徴とする請求項１から請求項３のいずれか一項に記載の方法。
【請求項８】
前記第２のプリセット範囲、前記第３のプリセット範囲及び前記第４のプリセット範囲は、いずれも、前記端末装置の運動状態が往復運動である場合に対応する範囲であることを特徴とする請求項７に記載の方法。
【請求項９】
前記第２のプリセット範囲、前記第３のプリセット範囲及び前記第４のプリセット範囲は、いずれも、前記端末装置の運動状態が第１の方向への運動である場合に対応する範囲であることを特徴とする請求項７に記載の方法。
【請求項１０】
前記第１の命令を取得することは、
ユーザによる前記第２のスクリーン又は前記第１のスクリーンのプリセット位置に対するプリセット回数のクリック操作を検出すると、第１の命令をトリガすることを含むことを特徴とする請求項１から請求項３のいずれか一項に記載の方法。
【請求項１１】
前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域であることを特徴とする請求項１０に記載の方法。
【請求項１２】
前記プリセット回数は、１回又は２回又は３回であることを特徴とする請求項１０又は請求項１１に記載の方法。
【請求項１３】
前記第１の命令を取得することは、
ユーザによる前記端末装置のプリセット物理的ボタンに対する操作を検出すると、第１の命令をトリガすることを含むことを特徴とする請求項１から請求項３のいずれか一項に記載の方法。
【請求項１４】
前記ユーザによる前記端末装置のプリセット物理的ボタンに対する操作は、
ユーザがプリセット物理的ボタンをクリックすること、
ユーザがプリセット物理的ボタンを第１の位置から第２の位置までスライドさせること、
ユーザがプリセット物理的ボタンを第３のプリセット時間押すことのうちのいずれか一つを含むことを特徴とする請求項１３に記載の方法。
【請求項１５】
前記第１の命令を取得することは、
ユーザの音声信号を取得することと、
前記音声信号を認識し、前記音声信号に対応するテキスト情報を得ることと、
前記テキスト情報が前記端末装置に予め記憶されたテキスト情報と同じであれば、第１の命令をトリガすることとを含むことを特徴とする請求項１から請求項３のいずれか一項に記載の方法。
【請求項１６】
前記第１の命令を取得することは、
前記第１のスクリーンに表示された画像を取得することと、
前記画像に含まれる顔画像が前記端末装置内に記憶された顔画像であるターゲット顔画像であり、かつ前記ターゲット顔画像の前記画像に占める比率がプリセット比率よりも大きい場合、第１の命令をトリガすることとを含むことを特徴とする請求項１から請求項３のいずれか一項に記載の方法。
【請求項１７】
スクリーン制御装置であって、本体と、第１のスクリーンと、第２のスクリーンと、レンズと、前記本体内に設置されたコントローラとを含み、前記第１のスクリーン、前記第２のスクリーンおよびレ前記ンズは前記本体に設置され、
第１のスクリーンと前記第２のスクリーンとは互いに背向して設置され、前記レンズは前記第２のスクリーンの側に設置され、
前記コントローラは前記第１のスクリーン、前記第２のスクリーン及び前記レンズと通信可能に接続され、
前記第１のスクリーンは、前記スクリーン制御装置が起動された後に、前記レンズで撮影された画像を表示するスクリーンであり、
前記コントローラは、前記第２のスクリーンに前記レンズで撮影された画像を表示するように指示するための第１の命令を取得し、前記第１の命令に応じて、前記第２のスクリーンに前記レンズで撮影された画像を表示するように制御するために用いられることを特徴とするスクリーン制御装置。
【請求項１８】
前記コントローラは、前記第１の命令に応じて、前記第１のスクリーンに表示された、前記レンズで撮影された画像を前記第２のスクリーンに表示するように切り替えるために用いられることを特徴とする請求項１７に記載のスクリーン制御装置。
【請求項１９】
前記コントローラは、さらに、前記第１のスクリーンがスクリーンオフ状態になるように制御するために用いられることを特徴とする請求項１８に記載のスクリーン制御装置。
【請求項２０】
前記コントローラは、ユーザの第２のスクリーン又は前記第１のスクリーンにおけるタッチ軌跡を取得し、前記タッチ軌跡が前記スクリーン制御装置に記憶されたプリセット軌跡と同じであれば、第１の命令をトリガするために用いられることを特徴とする請求項１７から請求項１９のいずれか一項に記載のスクリーン制御装置。
【請求項２１】
前記コントローラは、スクリーン制御装置の回転角度を取得し、スクリーン制御装置の第１のプリセット時間内における回転角度が第１のプリセット範囲内にあれば、第１の命令をトリガするために用いられることを特徴とする請求項１７から請求項１９のいずれか一項に記載のスクリーン制御装置。
【請求項２２】
前記コントローラと通信可能に接続された角度センサをさらに含み、
前記角度センサは、前記スクリーン制御装置の回転角度又は回転角速度を検出するために用いられ、
前記コントローラは、前記角度センサにより検出された回転角度又は回転角速度に基づいて、スクリーン制御装置の回転角度を取得し、前記スクリーン制御装置の第１のプリセット時間範囲内における回転角度が第１のプリセット範囲内にあれば、第１の命令をトリガするために用いられることを特徴とする請求項１７から請求項１９のいずれか一項に記載のスクリーン制御装置。
【請求項２３】
前記コントローラと通信可能に接続された加速度計をさらに含み、
前記加速度計は、スクリーン制御装置のＸ軸方向での加速度、Ｙ軸方向での加速度及びＺ軸方向での加速度を検出するために用いられ、
前記コントローラは、前記加速度計で検出したスクリーン制御装置のＸ軸方向での加速度、Ｙ軸方向での加速度及びＺ軸方向での加速度を取得し、スクリーン制御装置の第２のプリセット時間内におけるＸ軸方向での加速度が第２のプリセット範囲内にあり、Ｙ軸方向での加速度が第３のプリセット範囲内にあり、Ｚ軸方向での加速度が第４のプリセット範囲内にあれば、第１の命令をトリガするために用いられることを特徴とする請求項１７から請求項１９のいずれか一項に記載のスクリーン制御装置。
【請求項２４】
前記第２のプリセット範囲、前記第３のプリセット範囲及び前記第４のプリセット範囲は、いずれも、前記スクリーン制御装置の運動状態が往復運動である場合に対応する範囲であることを特徴とする請求項２３に記載のスクリーン制御装置。
【請求項２５】
前記第２のプリセット範囲、前記第３のプリセット範囲及び前記第４のプリセット範囲は、いずれも、前記スクリーン制御装置の運動状態が第１の方向への運動である場合に対応する範囲であることを特徴とする請求項２３に記載のスクリーン制御装置。
【請求項２６】
前記コントローラは、ユーザの前記第２のスクリーン又は前記第１のスクリーンのプリセット位置に対するプリセット回数のクリック操作を検出すると、第１の命令をトリガするために用いられることを特徴とする請求項１７から請求項１９のいずれか一項に記載のスクリーン制御装置。
【請求項２７】
前記プリセット位置は、前記第２のスクリーン又は前記第１のスクリーン上のプリセットアイコンボタンの位置であり、
或いは、
前記プリセット位置は、前記第２のスクリーン又は前記第１のスクリーン上の空白領域であることを特徴とする請求項２６に記載のスクリーン制御装置。
【請求項２８】
前記プリセット回数は、１回又は２回又は３回であることを特徴とする請求項２６又は２７に記載のスクリーン制御装置。
【請求項２９】
前記スクリーン制御装置の側壁に設置されたプリセット物理的ボタンをさらに含み、
前記プリセット物理的ボタンは、前記コントローラと通信可能に接続され、
前記コントローラは、ユーザによる前記プリセット物理的ボタンに対する操作を検出すると、第１の命令をトリガするために用いられることを特徴とする請求項１７から請求項１９のいずれか一項に記載のスクリーン制御装置。
【請求項３０】
ユーザによる前記スクリーン制御装置のプリセット物理的ボタンに対する前記操作は、
ユーザが前記プリセット物理的ボタンをクリックすること、
ユーザが前記プリセット物理的ボタンを第１の位置から第２の位置までスライドさせること、
ユーザが前記プリセット物理的ボタンを第３のプリセット時間押すことのうちのいずれか一つを含むことを特徴とする請求項２９に記載のスクリーン制御装置。
【請求項３１】
前記コントローラと通信可能に接続された音声受信機をさらに含み、
前記音声受信機は、ユーザの音声信号を受信するために用いられ、
前記コントローラは、前記音声受信機からユーザの音声信号を取得し、前記音声信号を認識し、前記音声信号に対応するテキスト情報を得て、前記テキスト情報が前記スクリーン制御装置に予め記憶されたテキスト情報と同じであれば、第１の命令をトリガするために用いられることを特徴とする請求項１７から請求項１９のいずれか一項に記載のスクリーン制御装置。
【請求項３２】
前記コントローラと通信可能に接続された画像収集装置をさらに含み、
前記画像収集装置は、前記第１のスクリーンに表示された画像を収集するために用いられ、
前記コントローラは、前記画像を取得し、前記画像に含まれる顔画像が前記スクリーン制御装置内に記憶された顔画像であるターゲット顔画像であり、かつ前記ターゲット顔画像の前記画像に占める比率がプリセット比率よりも大きい場合、第１の命令をトリガするために用いられる、ことを特徴とする請求項１７から請求項１９のいずれか一項に記載のスクリーン制御装置。
【手続補正２】
【補正対象書類名】明細書
【補正対象項目名】０１７８
【補正方法】変更
【補正の内容】
【０１７８】
以下の各実施例におけるコントローラは、プロセッサ４２の少なくとも一部である。
【国際調査報告】
2020527245.tif 000021
2020527245.tif 000022
2020527245.tif 000023
2020527245.tif 000024